(57)【要約】【課題】複数台の電子辞書を持ち歩くことなく、複数言語に対応した辞書機能を利用することが出来る携帯電話が提案されているが、翻訳対象の単語等の入力をキー操作や触覚機器を介してユーザ自身が行う必要があるため、必ずしも簡便な入力手段ではなく誤った綴りを入力する可能性がある。【解決手段】辞書サーバと携帯通信端末とがネットワークを介して接続され、前記携帯通信端末は、通信手段を介して画像情報を前記辞書サーバに送信する送信手段と、前記辞書サーバから文字情報を受信する受信手段とを備え、前記辞書サーバは、辞書コンテンツを格納する蓄積手段と、画像情報を受信する受信手段と、画像情報から文字を認識する文字認識手段と、文字の意味を前記辞書コンテンツから検索する検索手段と、検索した結果を含む文字情報を前記携帯通信端末に送信する送信手段とを備えることを特徴とする。【選択図】図１
2006254014.tif 000002
【特許請求の範囲】
【請求項１】
辞書コンテンツを蓄積管理して情報の検索と提供を行う辞書サーバと、
前記辞書サーバに検索要求を行い情報を受け取る携帯通信端末とがネットワークを介して接続され、
前記携帯通信端末は、
画像を入力する画像入力手段と、
前記ネットワークと通信するための通信手段と、
前記画像入力手段により得られた画像情報を前記通信手段を介して前記辞書サーバに送信する送信手段と、
前記辞書サーバから前記通信手段を介して文字情報を受信する受信手段とを備え、
前記辞書サーバは、
辞書コンテンツを格納する蓄積手段と、
前記ネットワークと通信するための通信手段と、
前記携帯通信端末から前記通信手段を介して画像情報を受信する受信手段と、
前記受信手段により受信した画像情報から文字を認識する文字認識手段と、
前記文字認識手段により認識された文字の意味を前記辞書コンテンツから検索する検索手段と、
前記検索手段により検索した結果を含む文字情報を前記通信手段を介して前記携帯通信端末に送信する送信手段とを備えることを特徴とする辞書検索システム。
【請求項２】
前記辞書サーバは、
前記蓄積手段にカテゴリ別の複数の辞書コンテンツを格納しており、
前記検索手段は指定された辞書コンテンツから検索を行うことを特徴とする請求項１記載の辞書検索システム。
【請求項３】
前記辞書サーバは、
利用者の識別情報及び辞書コンテンツの利用情報を含む利用者情報を蓄積する利用者情報蓄積手段と、
前記利用者情報を用いて外部からの接続要求に対する認証を行う認証手段と、
前記利用者情報を用いて利用者に課金する課金手段とを備えることを特徴とする請求項１または２のいずれかに記載の辞書検索システム。
【請求項４】
前記携帯通信端末は、
使用者からの操作指示を受ける入力手段と、
画像情報を蓄積する蓄積手段と、
前記画像情報及び前記文字情報を表示する表示手段と、
前記画像入力手段により得られた画像情報から画像領域を指定する画像領域選択手段と、
前記画像情報を前記蓄積手段に保存する画像保存手段と、
前記蓄積手段から画像情報を検索する画像検索手段とを備えることを特徴とする請求項３記載の辞書検索システム。
【請求項５】
前記携帯通信端末は、
前記入力手段から画像入力指示を受けるステップと、
前記画像入力手段により画像を入力するステップと、
前記画像領域選択手段により画像情報から画像領域を指定するステップと、
前記通信手段を介して前記辞書サーバに接続して認証処理を行うステップと、
前記辞書サーバから認証結果を受信するステップと、
認証された場合に前記辞書サーバから辞書コンテンツ一覧情報を受信するステップと、
前記辞書コンテンツ一覧から所望の辞書コンテンツを指定するステップと、
前記辞書サーバに辞書コンテンツ指定情報及び画像情報を送信するステップと、
前記辞書サーバから検索結果を受信するステップと、
前記表示手段により前記結果を表示するステップとを備え、
前記辞書サーバは、
前記携帯通信端末からの前記接続要求時に前記認証手段により認証処理を行うステップと、
前記携帯通信端末に認証結果を送信するステップと、
認証許可した場合に前記携帯通信端末に辞書コンテンツ一覧情報を送信するステップと、
前記携帯通信端末から前記辞書コンテンツ指定情報及び画像情報を受信するステップと、
前記文字認識手段により画像情報から文字を認識するステップと、
前記指定された辞書コンテンツから前記検索手段により辞書検索するステップと、
前記検索手段により検索した結果を含む文字情報を前記携帯通信端末に送信するステップと、
前記課金手段により利用者に課金するステップとを備えることを特徴とする請求項４記載の辞書検索システム。
【請求項６】
辞書コンテンツを提供する辞書コンテンツ提供システムが前記ネットワークを介して接続され、
前記辞書コンテンツ提供システムは、
辞書コンテンツを格納する蓄積手段と、
前記ネットワークと通信するための通信手段と、
前記辞書コンテンツを前記通信手段を介して前記辞書サーバに送信する送信手段とを備え、
前記辞書サーバは、
前記受信手段が前記辞書コンテンツ提供システムから前記通信手段を介して辞書コンテンツを受信する手段と、
前記受信手段により受信した辞書コンテンツを前記蓄積手段に格納する更新手段とを備えることを特徴とする請求項１から５までのいずれかに記載の辞書検索システム。
【請求項７】
辞書コンテンツを提供する辞書コンテンツ提供システムが前記ネットワークを介して接続され、
前記辞書コンテンツ提供システムは、
使用者からの操作指示を受ける入力手段と、
辞書コンテンツを格納する蓄積手段と、
前記ネットワークと通信するための通信手段と、
前記蓄積手段に格納された辞書コンテンツを編集する編集手段と、
前記蓄積手段から送信する辞書コンテンツを選択する選択手段と、
前記選択手段により選択された辞書コンテンツを前記辞書サーバに送信する送信手段とを備え、
前記辞書サーバは、
前記受信手段が前記辞書コンテンツ提供システムから辞書コンテンツを受信する手段と、
前記利用者情報蓄積手段が前記辞書コンテンツ提供システムの識別情報及び辞書コンテンツ情報を含む利用者情報を蓄積する手段と、
前記利用者情報を用いて辞書コンテンツの管理を行う辞書コンテンツ管理手段と、
前記受信手段により受信した辞書コンテンツを前記蓄積手段に格納する更新手段とを備えることを特徴とする請求項３から５までのいずれかに記載の辞書検索システム。
【請求項８】
前記辞書コンテンツ提供システムは、
前記蓄積手段がカテゴリ別の複数の辞書コンテンツを格納する手段と、
前記選択手段が前記複数の辞書コンテンツから送信する辞書コンテンツを選択する手段とを備えることを特徴とする請求項７記載の辞書検索システム。
【請求項９】
前記辞書コンテンツ提供システムは、
前記入力手段から辞書コンテンツ送信指示を受けるステップと、
前記選択手段により送信する辞書コンテンツを選択するステップと、
前記通信手段を介して前記辞書サーバに接続して認証処理を行うステップと、
前記辞書サーバから認証結果を受信するステップと、
認証された場合に前記辞書サーバに前記辞書コンテンツを送信するステップと、
前記辞書サーバから登録結果を受信するステップとを備え、
前記辞書サーバは、
前記辞書コンテンツ提供システムからの前記接続要求時に前記認証手段により認証処理を行うステップと、
前記辞書コンテンツ提供システムに認証結果を送信するステップと、
認証許可した場合に前記辞書コンテンツ提供システムから前記辞書コンテンツを受信するステップと、
前記辞書コンテンツ管理手段により前記辞書コンテンツの管理を行うステップと、
前記更新手段により前記辞書コンテンツを前記蓄積手段に格納するステップと、
前記辞書コンテンツ提供システムに登録結果を送信するステップとを備える
ことを特徴とする請求項７または８のいずれかに記載の辞書検索システム。
【発明の詳細な説明】
【技術分野】
【０００１】
本発明はネットワークを介して辞書検索を行う技術に関し、特に、携帯通信端末から検索キーワードを含む画像をサーバに送信して、サーバで文字認識して辞書検索を行い、結果を返信するシステムに関するものである。
【背景技術】
【０００２】
近年、海外旅行や語学学習に電子辞書を利用する機会が増えており、英和／和英辞書のみならず仏和／和仏、独和／和独などの言語に対応した機種が発売されている。しかし、基本的には一台一言語という構成が普通であるため、例えばヨーロッパを旅行する場合に複数言語を参照するためには複数台の電子辞書が必要という問題があった。
【０００３】
一方、日本、米国、カナダ、中国、韓国などにおいて国際ローミングが可能な携帯電話の採用が進んでおり、近い将来には複数の国で国際ローミングが可能となる予定である。
【０００４】
そこで、ＰＤＡや複数台の電子辞書を持ち歩くことなく、複数言語に対応した辞書機能を利用することが出来る携帯電話が提案されている（例えば、特許文献１参照）。
【特許文献１】特開２００３−１１５９４２号公報
【発明の開示】
【発明が解決しようとする課題】
【０００５】
上述の従来技術によれば、ユーザは一台の携帯電話で複数言語に対応した辞書機能を利用することが可能であるが、翻訳対象の単語等の入力をキー操作や触覚機器を介してユーザ自身が行う必要があるため、必ずしも簡便な入力手段ではなく、誤った綴りを入力する可能性がある。また、マイクロフォンなどの聴覚機器を介して入力する手段が考慮されているが、周囲のノイズが入ることにより綴りを誤認識する可能性がある。更に、サーバ上の最新の辞書コンテンツを利用することが可能であるが、通常、コンテンツの作成やメンテナンスには少なからずコストが掛かるため、サービスを無料で提供することは現実的ではない。
【０００６】
本発明は、かかる現状に鑑みてなされたものであり、携帯通信端末から簡便且つ正確に検索キーワードを指定して、サーバ上の辞書機能を利用可能にすることを目的とし、また、辞書コンテンツの種類や利用度に応じてユーザに課金を行うことを目的とする。
【課題を解決するための手段】
【０００７】
上記目的を達成するために、本発明の一様態によれば、辞書コンテンツを蓄積管理して情報の検索と提供を行う辞書サーバと、前記辞書サーバに検索要求を行い情報を受け取る携帯通信端末とがネットワークを介して接続され、前記携帯通信端末は、画像を入力する画像入力手段と、前記ネットワークと通信するための通信手段と、前記画像入力手段により得られた画像情報を前記通信手段を介して前記辞書サーバに送信する送信手段と、前記辞書サーバから前記通信手段を介して文字情報を受信する受信手段と、使用者からの操作指示を受ける入力手段と、画像情報を蓄積する蓄積手段と、前記画像情報及び前記文字情報を表示する表示手段と、前記画像入力手段により得られた画像情報から画像領域を指定する画像領域選択手段と、前記画像情報を前記蓄積手段に保存する画像保存手段と、前記蓄積手段から画像情報を検索する画像検索手段とを備え、前記辞書サーバは、辞書コンテンツを格納する蓄積手段と、前記ネットワークと通信するための通信手段と、前記携帯通信端末から前記通信手段を介して画像情報を受信する受信手段と、前記受信手段により受信した画像情報から文字を認識する文字認識手段と、前記文字認識手段により認識された文字の意味を前記辞書コンテンツから検索する検索手段と、前記検索手段により検索した結果を含む文字情報を前記通信手段を介して前記携帯通信端末に送信する送信手段と、利用者の識別情報及び辞書コンテンツの利用情報を含む利用者情報を蓄積する利用者情報蓄積手段と、前記利用者情報を用いて外部からの接続要求に対する認証を行う認証手段と、前記利用者情報を用いて利用者に課金する課金手段とを備えることを特徴とし、前記携帯通信端末は、前記入力手段から画像入力指示を受けるステップと、前記画像入力手段により画像を入力するステップと、前記画像領域選択手段により画像情報から画像領域を指定するステップと、前記通信手段を介して前記辞書サーバに接続して認証処理を行うステップと、前記辞書サーバから認証結果を受信するステップと、認証された場合に前記辞書サーバから辞書コンテンツ一覧情報を受信するステップと、前記辞書コンテンツ一覧から所望の辞書コンテンツを指定するステップと、前記辞書サーバに辞書コンテンツ指定情報及び画像情報を送信するステップと、前記辞書サーバから検索結果を受信するステップと、前記表示手段により前記結果を表示するステップとを備え、前記辞書サーバは、前記携帯通信端末からの前記接続要求時に前記認証手段により認証処理を行うステップと、前記携帯通信端末に認証結果を送信するステップと、認証許可した場合に前記携帯通信端末に辞書コンテンツ一覧情報を送信するステップと、前記携帯通信端末から前記辞書コンテンツ指定情報及び画像情報を受信するステップと、前記文字認識手段により画像情報から文字を認識するステップと、前記指定された辞書コンテンツから前記検索手段により辞書検索するステップと、前記検索手段により検索した結果を含む文字情報を前記携帯通信端末に送信するステップと、前記課金手段により利用者に課金するステップとを備えることを特徴とする。
【０００８】
また、本発明の一様態によれば、辞書コンテンツを提供する辞書コンテンツ提供システムが前記ネットワークを介して接続され、前記辞書コンテンツ提供システムは、使用者からの操作指示を受ける入力手段と、辞書コンテンツを格納する蓄積手段と、前記ネットワークと通信するための通信手段と、前記蓄積手段に格納された辞書コンテンツを編集する編集手段と、前記蓄積手段から送信する辞書コンテンツを選択する選択手段と、前記選択手段により選択された辞書コンテンツを前記辞書サーバに送信する送信手段とを備え、前記辞書サーバは、前記受信手段が前記辞書コンテンツ提供システムから辞書コンテンツを受信する手段と、前記利用者情報蓄積手段が前記辞書コンテンツ提供システムの識別情報及び辞書コンテンツ情報を含む利用者情報を蓄積する手段と、前記利用者情報を用いて辞書コンテンツの管理を行う辞書コンテンツ管理手段と、前記受信手段により受信した辞書コンテンツを前記蓄積手段に格納する更新手段とを備えることを特徴とし、前記辞書コンテンツ提供システムは、前記入力手段から辞書コンテンツ送信指示を受けるステップと、前記選択手段により送信する辞書コンテンツを選択するステップと、前記通信手段を介して前記辞書サーバに接続して認証処理を行うステップと、前記辞書サーバから認証結果を受信するステップと、認証された場合に前記辞書サーバに前記辞書コンテンツを送信するステップと、前記辞書サーバから登録結果を受信するステップとを備え、前記辞書サーバは、前記辞書コンテンツ提供システムからの前記接続要求時に前記認証手段により認証処理を行うステップと、前記辞書コンテンツ提供システムに認証結果を送信するステップと、認証許可した場合に前記辞書コンテンツ提供システムから前記辞書コンテンツを受信するステップと、前記辞書コンテンツ管理手段により前記辞書コンテンツの管理を行うステップと、前記更新手段により前記辞書コンテンツを前記蓄積手段に格納するステップと、前記辞書コンテンツ提供システムに登録結果を送信するステップとを備えることを特徴とする。
【発明の効果】
【０００９】
以上のように本発明によれば、検索キーワードをいつでもどこでも簡便且つ正確に指定することが可能であり、語学に限らず様々なカテゴリの辞書検索が可能となる。また、サーバ側で負荷の大きい文字認識と辞書検索を行うことにより、内蔵するＣＰＵやメモリ容量等の能力が低い端末でも検索サービスが利用可能となる。
【発明を実施するための最良の形態】
【００１０】
以下、本発明の実施の形態について、図面を用いて説明する。図１は全体構成を示すブロック図であり、携帯電話１００と、辞書サーバ２００と、辞書コンテンツ提供システム３００及び４００と、基地局５００と、交換局６００と、これらを相互に接続するネットワーク７００とから構成されている。
【００１１】
携帯電話１００は、基地局５００、交換局６００、ネットワーク７００を介して辞書サーバ２００に検索キーワードを含む画像を送信して、検索結果を受信する機能を有する無線通信装置であり、図２に示すように、アンテナ１０１と、通信手段１０２と、入力手段１０３と、制御手段１０４と、蓄積手段１０５と、音声処理手段１０６と、画像処理手段１０７と、音声入力手段１０８と、音声出力手段１０９と、画像入力手段１１０と、画像表示手段１１１とを有する。
【００１２】
通信手段１０２は、アンテナ１０１、基地局５００、交換局６００、ネットワーク７００を介して辞書サーバ２００と通信する機能を有する。入力手段１０３は、入力指示を受け付けて制御手段１０４に操作指示を与える機能を有する。蓄積手段１０５は、フラッシュメモリ等の記録媒体を有し、撮影した画像を画像データとして記録する。音声処理手段１０６は、音声信号の入出力を処理する機能を有する。画像処理手段１０７は、映像信号の入出力を処理する機能を有する。音声入力手段１０８は、マイクロフォン等の音声を入力する機能を有する。音声出力手段１０９は、スピーカ等の音声を出力する機能を有する。画像入力手段１１０は、デジタルカメラ等の画像を撮影する機能を有する。画像表示手段１１１は、液晶ディスプレイ等の画像を表示する機能を有する。
【００１３】
制御手段１０４は、プロセッサ、メモリ等で構成され、（１）入力手段１０３から受けた撮影要求に従い、画像入力手段１１０により画像を撮影する処理、（２）入力手段１０３から受けた領域選択要求に従い、撮影した画像から特定の画像領域を選択する処理、（３）入力手段１０３から受けた画像保存要求に従い、撮影した画像をファイル名等を付加して蓄積手段１０５に保存する処理、（４）入力手段１０３から受けた画像検索要求に従い、蓄積手段１０５に保存された画像を検索して選択する処理、（５）入力手段１０３から受けた画像送信要求に従い、通信手段１０２を介して画像を辞書サーバ２００に送信する処理、（６）辞書サーバ２００から送信された結果を受信して画像表示手段１１１に表示する処理、の制御を行う。前記処理（１）〜（６）の詳細については、図７の流れ図を用いて後述する。
【００１４】
辞書サーバ２００は、ネットワーク７００を介して、辞書コンテンツ提供システム３００及び４００から送信された辞書コンテンツの蓄積管理を行い、携帯電話１００から送信された検索キーワードを含む画像を文字認識して、辞書検索した結果を返信するシステムであり、図３に示すように、通信手段２０１と、認証手段２０２と、制御手段２０３と、文字認識手段２０４と、管理手段２０５と、更新手段２０６と、検索手段２０７と、利用者情報蓄積手段２０８と、辞書コンテンツ蓄積手段２０９とを有する。
【００１５】
通信手段２０１は、ネットワーク７００を介して携帯電話１００と辞書コンテンツ提供システム３００及び４００と通信する機能を有する。認証手段２０２は、利用者情報蓄積手段２０８に記録されているユーザ管理テーブル８００とコンテンツ管理テーブル９００の識別ＩＤやパスワード等の利用者情報を用いて、外部からの接続認証処理を行う機能を有する。文字認識手段２０４は、入力された検索キーワードを含む画像の前処理、特徴抽出を行い、辞書コンテンツ蓄積手段２０９に格納されたパターン辞書から照合を行い、文字認識を行う機能を有する。管理手段２０５は、辞書コンテンツの種類や利用度に応じてユーザに課金を行う機能及び、辞書コンテンツのバージョン比較と管理を行う機能を有する。課金とバージョン更新に際して、利用者情報蓄積手段２０８のユーザ管理テーブル８００とコンテンツ管理テーブル９００に記録されている各利用者情報を参照及び更新する。
【００１６】
更新手段２０６は、辞書コンテンツ蓄積手段２０９に格納している辞書コンテンツを新しいバージョンに更新する機能を有する。検索手段２０７は、文字認識手段２０４により文字認識されたキーワードの意味を検索する機能を有する。利用者情報蓄積手段２０８は、ハードディスク等の記録媒体を有し、辞書サーバ２００を利用するユーザと辞書コンテンツ作成者の会員情報を記録している。ユーザの会員情報は図５に示すように、会員属性情報、識別ＩＤ、コンテンツの利用回数、利用金額などが含まれ、ユーザ管理テーブル８００に記録されている。辞書コンテンツ作成者の会員情報は図６に示すように、会員属性情報、識別ＩＤ、コンテンツ管理ＩＤ、コンテンツ種別、バージョンなどが含まれ、コンテンツ管理テーブル９００に記録されている。
【００１７】
辞書コンテンツ蓄積手段２０９は、ハードディスク等の記録媒体を有し、辞書コンテンツ提供システム３００及び４００により送信された辞書コンテンツが格納されており、また、文字認識手段２０４による照合処理に必要な標準パターンの集合であるパターン辞書を格納している。
【００１８】
制御手段２０３は、プロセッサ、メモリ等で構成され、（１）携帯電話１００からの接続要求を受け、認証手段２０２により認証処理を行う処理、（２）コンテンツ管理テーブル９００に記録されている利用者情報を参照して利用可能な辞書コンテンツ一覧情報を送信する処理、（３）通信手段２０１を介してコンテンツ指定情報及び検索キーワードを含む画像を受信する処理、（４）受信した画像から文字認識手段２０４により文字認識を行う処理、（５）指定された辞書コンテンツから検索手段２０７により辞書検索する処理、（６）検索結果を送信する処理。（７）管理手段２０５により課金して利用者情報の更新を行う処理、の制御を行う。前記処理（１）〜（６）の詳細については、図７の流れ図を用いて後述する。
【００１９】
また、（７）辞書コンテンツ提供システム３００及び４００からの接続要求を受け、認証手段２０２により認証処理を行う処理、（８）通信手段２０１を介して辞書コンテンツを受信する処理、（９）受信した辞書コンテンツと辞書コンテンツ蓄積手段２０９に格納済みの辞書コンテンツのバージョンを管理手段２０５により比較して、新しい場合に利用者情報を更新する処理、（１０）更新手段２０６により辞書コンテンツを更新する処理、の詳細については、図８の流れ図を用いて後述する。
【００２０】
辞書コンテンツ提供システム３００及び４００は、各種辞書コンテンツを作成して辞書サーバ２００にネットワーク７００を介してコンテンツを提供するシステムであり、図４に示すように、通信手段３０１と、入力手段３０２と、制御手段３０３と、選択手段３０４と、編集手段３０５と、辞書コンテンツ蓄積手段３０６とを有する。辞書コンテンツは種別に作成者が定められており、例えば、辞書コンテンツ提供システム３００では英和辞書コンテンツを作成し、辞書コンテンツ提供システム４００では和英辞書コンテンツを作成する。辞書コンテンツには語学以外にも工学、  経済、土木、医学、  環境、法律などの様々なコンテンツがあり、サービス会社などが作成する。コンテンツには使用料が定められており、例えば専門用語の辞書の使用料を高く設定するなど、各コンテンツにより使用料を変更することが考えられる。また、ユーザが使用する毎に課金する従量制や、一定期間の使用を定額制にしたり、複数コンテンツを利用する場合は割引制度を設けるなど、様々なサービス形態が考えられる。
【００２１】
通信手段３０１は、ネットワーク７００を介して辞書サーバ２００と通信する機能を有する。入力手段３０２は、入力指示を受け付けて制御手段３０３に操作指示を与える機能を有する。選択手段３０４は、作成した辞書コンテンツの中から送信するコンテンツを選択する機能を有する。編集手段３０５は、辞書コンテンツを編集する機能を有する。辞書コンテンツ蓄積手段３０６は、ハードディスク等の記録媒体を有し、各種の辞書コンテンツを記録している。
【００２２】
制御手段３０３は、プロセッサ、メモリ等で構成され、（１）入力手段３０２から受けた辞書コンテンツ編集要求に従い、編集手段３０５により辞書コンテンツの編集を行う処理、（２）入力手段３０２から受けた辞書コンテンツ送信要求に従い、選択手段３０４により辞書コンテンツを選択して通信手段３０１を介して辞書サーバ２００に送信する処理、の制御を行う。前記処理（２）の詳細については、図８の流れ図を用いて後述する。
【００２３】
次に、本発明の実施の形態の動作について図７と図８を用いて説明する。本システムを利用しようとするユーザ、辞書コンテンツ作成者は予め辞書サーバ２００のユーザ管理テーブル８００とコンテンツ管理テーブル９００に会員登録を行う。
【００２４】
図７は携帯電話１００と辞書サーバ２００との間の動作を表した流れ図である。ユーザは辞書機能を利用する場合、まず携帯電話１００を辞書モードにする（ステップＳ１０１）。次に、新たに検索キーワードを含む画像を撮影するか、既存の画像を用いるのかを選択する（ステップＳ１０２）。画像を撮影する場合（ステップＳ１０２：ＹＥＳ）、画像入力手段１１０により撮影を行い（ステップＳ１０３）、撮影した画像から不要な領域を削除するために画像領域を指定する（ステップＳ１０４）。画像を保存しない場合（ステップＳ１０５：ＮＯ）、通信手段２０１によりネットワーク７００を介して辞書サーバ２００にログインする（ステップＳ１０６）。画像を保存する場合（ステップＳ１０５：ＹＥＳ）、蓄積手段１０５に画像を保存して（ステップＳ１０８）、辞書サーバ２００にログインする（ステップＳ１０６）。画像を保存することで再度画像を撮影することなく検索キーワードを選択することが出来る。画像を撮影しない場合（ステップＳ１０２：ＮＯ）、蓄積手段１０５から画像を選択して（ステップＳ１０７）、辞書サーバ２００にログインする（ステップＳ１０６）。辞書サーバ２００は登録されているＩＤやパスワード等を用いて認証処理を行い（ステップＳ２０１）、認証結果を通知する（ステップＳ２０２）。携帯電話１００は認証結果を受信して、許可されない場合（ステップＳ１０９：ＮＯ）、再度ログインするかどうかを促す（ステップＳ１１０）。ログインする場合（ステップＳ１１０：ＹＥＳ）ログインを行い（ステップＳ１０６）、ログインしない場合（ステップＳ１１０：ＮＯ）終了する。辞書サーバ２００は認証許可しない場合（ステップＳ２０３：ＮＯ）終了し、許可する場合（ステップＳ２０３：ＹＥＳ）携帯電話１００に利用可能な辞書コンテンツ一覧情報を送信する（ステップＳ２０４）。携帯電話１００は許可された場合（ステップＳ１０９：ＹＥＳ）、辞書コンテンツ一覧情報を受信して表示する（ステップＳ１１１）。
【００２５】
ユーザは辞書コンテンツ一覧情報から所望の辞書コンテンツを選択して（ステップＳ１１２）、コンテンツ指定情報及び検索キーワードを含む画像を送信する（ステップＳ１１３）。辞書サーバ２００はコンテンツ指定情報及び画像を受信して（ステップＳ２０５）、文字認識手段２０４により文字認識を行う（ステップＳ２０６）。文字認識した結果、指定された辞書コンテンツから検索手段２０７により辞書検索して（ステップＳ２０７）、結果を送信する（ステップＳ２０８）。なお、検索した結果該当項目が見つからない場合はエラー通知する。結果通知後、管理手段２０５により課金処理を行い、ユーザ管理テーブル８００に記録する（ステップＳ２０９）。ユーザ管理テーブル８００にはコンテンツ毎に利用回数や累積利用金額等が記録される。携帯電話１００は辞書サーバ２００からの結果を受信して（ステップＳ１１４）、ログアウトする（ステップＳ１１５）。受信した結果を表示して（ステップＳ１１６）終了する。
【００２６】
図８は辞書コンテンツ提供システム３００及び４００と辞書サーバ２００との間の動作を表した流れ図である。辞書コンテンツ作成者は最新の辞書コンテンツを適宜辞書サーバ２００へ送信する。辞書コンテンツを編集する場合（ステップＳ３０１：ＹＥＳ）、コンテンツの編集作業を行う（ステップＳ３０２）。編集終了後、又は、辞書コンテンツを編集しない場合（ステップＳ３０１：ＮＯ）、コンテンツを送信するかどうかを選択する（ステップＳ３０３）。送信しない場合（ステップＳ３０３：ＮＯ）、終了する。
【００２７】
送信する場合（ステップＳ３０３：ＹＥＳ）、送信する辞書コンテンツを選択して（ステップＳ３０４）、通信手段３０１によりネットワーク７００を介して辞書サーバ２００にログインする（ステップＳ３０５）。辞書サーバ２００は登録されているＩＤやパスワード等を用いて認証処理を行い（ステップＳ４０１）、認証結果を通知する（ステップＳ４０２）。辞書コンテンツ提供システムは認証結果を受信して、許可されない場合（ステップＳ３０６：ＮＯ）、再度ログインするかどうかを促す（ステップＳ３０７）。ログインする場合（ステップＳ３０７：ＹＥＳ）ログインを行い（ステップＳ３０５）、ログインしない場合（ステップＳ３０７：ＮＯ）終了する。辞書コンテンツ提供システムは許可された場合（ステップＳ３０６：ＹＥＳ）、辞書コンテンツ及びバージョン情報を送信する（ステップＳ３０８）。辞書サーバ２００は認証許可しない場合（ステップＳ４０３：ＮＯ）終了し、許可する場合（ステップＳ４０３：ＹＥＳ）、辞書コンテンツ及びバージョン情報を受信して（ステップＳ４０４）、管理手段２０５によりバージョン比較を行う（ステップＳ４０５）。
【００２８】
比較した結果、受信した辞書コンテンツが最新である場合（ステップＳ４０６：ＹＥＳ）、更新手段２０６によりコンテンツを更新して（ステップＳ４０８）、登録終了の通知を行う（ステップＳ４０９）。受信した辞書コンテンツが最新でない場合（ステップＳ４０６：ＮＯ）、登録済みの通知を行い（ステップＳ４０７）終了する。辞書コンテンツ提供システムは辞書サーバ２００からの結果を受信して（ステップＳ３０９）、ログアウトする（ステップＳ３１０）。受信した結果を表示して（ステップＳ３１１）終了する。
【産業上の利用可能性】
【００２９】
本発明にかかる辞書検索システムは、画像認識を用いた検索システムとして有用であり、絵画や動植物等の画像を検索キーとして辞書検索するシステムにも適用できる。
【図面の簡単な説明】
【００３０】
【図１】本発明の一実施の形態の構成を示すブロック図
【図２】図１に示す携帯電話の構成例を示すブロック図
【図３】図１に示す辞書サーバの構成例を示すブロック図
【図４】図１に示す辞書コンテンツ提供システムの構成例を示すブロック図
【図５】図３に示す辞書サーバの利用者情報蓄積手段に格納されているユーザ管理テーブルの構成例を示す図
【図６】図３に示す辞書サーバの利用者情報蓄積手段に格納されているコンテンツ管理テーブルの構成例を示す図
【図７】携帯電話から辞書サーバに検索要求して結果を受信するフローチャート
【図８】辞書コンテンツ提供システムから辞書サーバに辞書コンテンツを送信して格納するフローチャート
【符号の説明】
【００３１】
１００    携帯電話
１０１    アンテナ
１０２    通信手段
１０３    入力手段
１０４    制御手段
１０５    蓄積手段
１０６    音声処理手段
１０７    画像処理手段
１０８    音声入力手段
１０９    音声出力手段
１１０    画像入力手段
１１１    画像表示手段
２００    辞書サーバ
２０１    通信手段
２０２    認証手段
２０３    制御手段
２０４    文字認識手段
２０５    管理手段
２０６    更新手段
２０７    検索手段
２０８    利用者情報蓄積手段
２０９    辞書コンテンツ蓄積手段
３００    辞書コンテンツ提供システム
３０１    通信手段
３０２    入力手段
３０３    制御手段
３０４    選択手段
３０５    編集手段
３０６    辞書コンテンツ蓄積手段
４００    辞書コンテンツ提供システム
５００    基地局
６００    交換局
７００    ネットワーク
８００    ユーザ管理テーブル
９００    コンテンツ管理テーブル
【図１】
2006254014.tif 000003
【図２】
2006254014.tif 000004
【図３】
2006254014.tif 000005
【図４】
2006254014.tif 000006
【図５】
2006254014.tif 000007
【図６】
2006254014.tif 000008
【図７】
2006254014.tif 000009
【図８】
2006254014.tif 000010